(57)【要約】【課題】面状照明装置において、コストアップを来たすことなく、又、輝度の均一性を損なうことなく、衝突音を軽減する。【解決手段】光学シート１８の外周辺に設けられた凸部１８ａが、ハウジングフレーム１６に対して接触する。ハウジングフレーム１６の内壁１６ｂ１は、光学シート１８の周縁部を囲うことによって、平面視で矩形状の光学シート１８の外周辺（１８ｃ）に対し、光学シート１８の各辺の全長に渡って対面する位置関係となっている。そして、光学シート１８とハウジングフレーム１６とが衝突する際には、光学シート１８の外周辺（１８ｃ）に設けられた凸部１８ａが、他方側に対して衝突することから、実際に両者が衝突する辺の長さは、凸部１８ａに限定された長さとなる。その結果として、衝突音が軽減されるものとなる。【選択図】図１
2014022215.tif 000002
【特許請求の範囲】
【請求項１】
対向する一対の主面の一方を光の出射面とする、平面視で矩形状の導光板と、
該導光板の出射面側に配置される、平面視で矩形状の光学シートと、
前記導光板及び前記光学シートの周縁部を囲う内壁を有するハウジングフレームとを含み、
前記光学シートの外周辺及び前記ハウジングフレームの内壁の少なくとも一方側に、他方側に対して、前記光学シートの各外周辺の延長方向への相対変位を規制しない態様で接触する、凸部が設けられていることを特徴とする面状照明装置。
【請求項２】
前記光学シートの外周辺及び前記ハウジングフレームの内壁の少なくとも一方側に設けられた凸部が、前記光学シートの対面する外周辺、又は、前記ハウジングフレームの対面する内壁に対して、平面視で傾斜する傾斜辺を有していることを特徴とする請求項１記載の面状照明装置。
【請求項３】
前記光学シートの外周辺及び前記ハウジングフレームの内壁の少なくとも一方側に設けられた前記凸部が、他方側に対して点状接触するように構成されていることを特徴とする請求項１又は２記載の面状照明装置。
【請求項４】
前記光学シートの外周辺及び前記ハウジングフレームの内壁の少なくとも一方側に設けられた前記凸部が、平面視で対向する一対の外周辺又は内壁に設けられていることを特徴とする請求項１から３のいずれか１項記載の面状照明装置。
【請求項５】
前記光学シートの外周辺及び前記ハウジングフレームの内壁の少なくとも一方側に設けられた前記凸部と対向する他方側の位置に、前記凸部が接触する凹部が設けられていることを特徴とする請求項１から４のいずれか１項記載の面状照明装置。
【請求項６】
前記光学シートの外周辺及び前記ハウジングフレームの内壁の少なくとも一方側に設けられた前記凸部が、平面視で前記光学シートの外周辺又は前記ハウジングフレームの内壁の端部に設けられていることを特徴とする請求項１から５のいずれか１項記載の面状照明装置。
【請求項７】
前記凸部が、前記ハウジングフレームの内壁に設けられていることを特徴とする請求項１から６のいずれか１項記載の面状照明装置。
【請求項８】
前記光学シートは、その外周辺が、中央部に開口を有するカバーケースで覆われていることを特徴とする請求項１から７のいずれか１項記載の面状照明装置。
【発明の詳細な説明】
【技術分野】
【０００１】
本発明は、液晶表示装置等の照明手段として用いられる面状照明装置に関するものである。
【背景技術】
【０００２】
今日、カーナビゲーションシステムや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段としては、導光板と導光板の側方に配置された光源とを主要な構成要素とする面状照明装置が、薄型化が容易であるという利点を有することから、液晶表示装置と組合せて広く使用されている。又、近年の白色発光ダイオード（ＬＥＤ）の高性能化に伴い、面状照明装置のさらなる小型・薄型化及び低消費電力化を図るため、光源として白色ＬＥＤを使用し、これを導光板の側面に配置して導光板の主面を発光面として構成した、いわゆるエッジライト方式の面状照明装置も一般的となっている。
【０００３】
このような面状照明装置の一例を、図６に示している。図６において、エッジライト方式の面状照明装置１００（以下、単に「面状照明装置」ともいう。）は、平面視で矩形状をなしており、対向する一対の主面の一方（表面）を光の出射面とする導光板１１１と、導光板１１１の裏面側に配置された反射シート１２６と、導光板１１１に積層配置された複数層の光学シート１１２（図６の例では１１２ａ、１１２ｂ、１１２ｃの３層）といった、複数の板状（又はシート状）部材を構成要素として含んでいる。そして、これらの構成要素が、図示しない白色ＬＥＤ等の点状光源と共に、合成樹脂材料からなるハウジングフレーム１２０に格納され、導光板１１１及び光学シート１１２が、開口部１３２を有する遮光シート１３０で覆われ、一体の面状照明装置１００として構成されたものである（例えば、特許文献１参照）。
【０００４】
この面状照明装置１００のハウジングフレーム１２０には、導光板１１１を載置する載置面１２１と、載置面外縁部を囲むように配置された縦壁部１２５とが形成され、縦壁部１２５には、ＬＥＤ等の光源を設置するための切り欠き部１２７が設けられている。更に、載置面１２１に開口する開口部１２４が形成され、載置面１２１の適所に、開口部１２４の内縁１２４１から縦壁部１２５の内壁へと伸びるように、位置決め溝１２８ａ、１２８ｂ及び１２８ｃ（符号のみ示す）が形成されている。この位置決め溝１２８ａ、１２８ｂ及び１２８ｃに対して、各々、光学シート１１２ａの位置決め突片１１２ａＡ、光学シート１１２ｂの位置決め突片１１２ｂＡ、光学シート１１２ｃの位置決め突片１１２ｃＡが係合することで、ハウジングフレーム１２０に対する各光学シート１１２の位置決めがなされるものである。
そして、遮光シート１３０の接着面部１３１に液晶表示パネル（ＬＣＤ）を固定し、遮光シート１３０の開口部１３２の内縁１３２１で確定される、光出射エリアからの出射光により、ＬＣＤを照らすものである。
【先行技術文献】
【特許文献】
【０００５】
【特許文献１】特開２００５−２４７７４号公報
【発明の概要】
【発明が解決しようとする課題】
【０００６】
ところで、近年、居住空間や自動車の車内の静寂化にともない、面状照明装置にも、振動により発生する衝突音の低減が求められるようになって来ており、図６に例示されるような従来の面状照明装置１００においても、導光板１１１の出射面側に配置される光学シート１１２に起因して発生する衝突音が問題となる場合がある。この衝突音は、面状照明装置１００に振動が加わることで、その振動の方向に応じて光学シート１１２の外周辺が、ハウジングフレーム１２０の縦壁部１２５の内壁に衝突することで、発生するものである。
この衝突音の発生は、光学シート１１２とハウジングフレーム１２０との隙間（ガタツキ）を低減することで解消することが可能であるが、面状照明装置１００を構成する各部材の寸法精度および部材間の熱膨張係数の違いを考慮しつつ、隙間の低減を図るには自ずと限界がある。
【０００７】
一方、エッジライト方式の面状照明装置において、光学シートを固定する手法として、両面テープ（粘着層）を用いる手法が採られる場合がある。この手法は、携帯電話のような発光領域（光学シート）の面積が比較的小さく、また、温度変化が比較的小さい環境下で使用することを前提とする場合には、衝突音を抑制する方法として適切なものである。
しかし、カーナビゲーションシステムなどの車載用の液晶表示装置の場合には、発光領域の面積が比較的大きく、また、許容すべき温度変化の幅（上限値−下限値）が大きいものである。このため、光学シートを両面テープで固定すると、温度変化に伴って光学シートに皺が発生し易く、光学シートに皺が発生することで、面状照明装置としての輝度の均一性が、損なわれてしまうことになる。
【０００８】
他方、エッジライト方式の面状照明装置において、光学シートを固定する手法として、ハウジングフレームを一対のフレーム（下側フレームと上側フレーム）で構成し、両フレームで光学シートを押さえ付ける手法が採られる場合もある。
実際に、車載用の液晶表示装置に用いられる面状照明装置では、かかる手法が多く採用されているが、この場合、上側のフレームにも下側のフレームと同様の剛性が要求されることから、両面テープのように、光学シートの変形に追従して柔軟に変形させることができなくなる。したがって、光学シートの熱による変形を許容しつつ、外部から振動が加わった際の変位を抑えるには、各部材の厚み等の寸法を厳しく管理する必要があり、コストアップに直結するものである。
【０００９】
本発明は、上記課題に鑑みてなされたものであり、その目的とするところは、面状照明装置において、コストアップを来たすことなく、又、輝度の均一性を損なうことなく、衝突音を軽減することにある。
【課題を解決するための手段】
【００１０】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１１】
（１）対向する一対の主面の一方を光の出射面とする、平面視で矩形状の導光板と、該導光板の出射面側に配置される、平面視で矩形状の光学シートと、前記導光板及び前記光学シートの周縁部を囲う内壁を有するハウジングフレームとを含み、前記光学シートの外周辺及び前記ハウジングフレームの内壁の少なくとも一方側に、他方側に対して、前記光学シートの各外周辺の延長方向への相対変位を規制しない態様で接触する、凸部が設けられている面状照明装置（請求項１）。
本項に記載の面状照明装置は、外部から振動が加わることによって、光学シートとハウジングフレームとが衝突する事態となったときに、光学シートの外周辺（光学シートの周縁部の、厚みが現れる帯状の端面）及びハウジングフレームの内壁の少なくとも一方側に設けられた凸部が、他方側に対して接触する。ここで、ハウジングフレームの内壁は、光学シートの周縁部を囲うことによって、平面視で矩形状の光学シートの外周辺に対し、光学シートの各辺の全長に渡って対面する位置関係となっている。そして、光学シートとハウジングフレームとが衝突する際には、光学シートの外周辺及びハウジングフレームの内壁の少なくとも一方側に設けられた凸部が、他方側に対して衝突することから、実際に両者が衝突する辺の長さは、凸部に限定された長さとなり、光学シートの各辺の延長方向にわたって広範囲に衝突する場合よりも、衝突音の発生し得る範囲が減少して、衝突音が軽減されるものとなる。
なお、凸部は、他方側に対して、光学シートの各外周辺の延長方向への相対変位を規制しない態様で接触するものとして構成されていることから、光学シートとハウジングフレームとの位置決め機能を企図するものではない。より具体的には、「他方側に対して、光学シートの各外周辺の延長方向への相対変位を規制しない態様で接触する」とは、位置決め機能を企図して、所定の方向に対する、相互の相対変位を規制する機能を発揮するべく、例えば、位置決めキーとキー溝のような、相補的な凹凸形状が互いに噛合う態様での接触を排除する主旨である。従って、凸部と平面とが点接触や線接触する態様、又は、所定の方向に対する位置決め機能を発揮しない形状を有する凸部と凹部とが、点接触や線接触する態様等が該当するものである。
【００１２】
（２）上記（１）項において、前記光学シートの外周辺及び前記ハウジングフレームの内壁の少なくとも一方側に設けられた凸部が、前記光学シートの対面する外周辺、又は、前記ハウジングフレームの対面する内壁に対して、平面視で傾斜する傾斜辺を有している面状照明装置（請求項２）。
本項に記載の面状照明装置は、光学シートの外周辺及び前記ハウジングフレームの内壁の少なくとも一方側に設けられた凸部が、光学シートの対面する外周辺、又は、ハウジングフレームの対面する内壁に対して平面視で傾斜する傾斜辺を有することで、光学シートの対面する外周辺と、ハウジングフレームの対面する内壁とが、平面視で、意図的に非平行に対面するものである。このように、光学シートの外周辺と、ハウジングフレームの内壁とが、平面視で非平行に対面することで、両者の間に形成される隙間が、光学シートの各辺の延長方向に増減する態様で形成されることとなる。そして、光学シートの各辺の全長に渡って形成される隙間を一定にする形状の凸部を形成することを想定した場合に、加工精度上の要請から、凸部の寸法（突出量）をより十分に取る必要が生じることによる、両者の間に形成される隙間（光学的なデッドエリア）の増大を、この構成により、回避するものとなる。又、両者の間に形成される隙間の増大は、光学シートがハウジングフレームの内壁に囲まれた範囲内で回転（自転）等の位置ずれを誘発し、発光領域を侵食するデッドエリアの拡大を招く原因となるが、かかる不具合を防止する上でも、本項の構成は有用なものとなる。又、凸部を形成するにあたり、高い加工精度が要求されることもない。
【００１３】
（３）上記（１）（２）項において、前記光学シートの外周辺及び前記ハウジングフレームの内壁の少なくとも一方側に設けられた前記凸部が、他方側に対して点状接触するように構成されている面状照明装置（請求項３）。
本項に記載の面状照明装置は、光学シートの外周辺及びハウジングフレームの内壁の少なくとも一方側に設けられた凸部が、他方側に対して点状接触するように構成されていることで、凸部が他方側に対して衝突する際の、両者の接触状態は点状接触となり、衝突音が最小限に抑えられるものとなる。
【００１４】
（４）上記（１）から（３）項において、前記光学シートの外周辺及び前記ハウジングフレームの内壁の少なくとも一方側に設けられた前記凸部が、平面視で対向する一対の外周辺又は内壁に設けられている面状照明装置（請求項４）。
本項に記載の面状照明装置は、光学シートの外周辺及びハウジングフレームの内壁の少なくとも一方側に設けられた凸部が、平面視で対向する一対の外周辺又は内壁に設けられていることで、平面視で矩形状の光学シートの、凸部に係る一対の外周辺と交差する平面方向の振動に対して、上記（１）から（３）項の作用を奏するものとなる。
【００１５】
（５）上記（１）から（４）項において、前記光学シートの外周辺及び前記ハウジングフレームの内壁の少なくとも一方側に設けられた前記凸部と対向する他方側の位置に、前記凸部が接触する凹部が設けられている面状照明装置（請求項５）。
本項に記載の面状照明装置は、光学シートの外周辺及びハウジングフレームの内壁の少なくとも一方側に設けられた凸部と対向する他方側の位置に、凸部が接触する凹部が設けられていることで、実際に両者が衝突する辺の長さは、凸部及び凹部の接触部分に限定された長さとなる。そして、光学シートの各辺の延長方向にわたって広範囲に衝突する場合よりも、衝突音の発生し得る範囲が減少して、衝突音が軽減されるものとなる。
【００１６】
（６）上記（１）から（５）項において、前記光学シートの外周辺及び前記ハウジングフレームの内壁の少なくとも一方側に設けられた前記凸部が、平面視で前記光学シートの外周辺又は前記ハウジングフレームの内壁の端部に設けられている面状照明装置（請求項６）。
本項に記載の面状照明装置は、光学シートの外周辺及びハウジングフレームの内壁の少なくとも一方側に設けられた凸部が、平面視で光学シートの外周辺又はハウジングフレームの内壁の端部に設けられていることで、光学シートとハウジングフレームとが衝突する際には、両者の接触は、平面視で光学シートの外周辺又はハウジングフレームの内壁の端部又はその近傍で生じることとなる。すなわち、光学シートの各辺の延長方向にわたって広範囲に衝突する場合よりも、衝突音の発生し得る範囲が減少して、衝突音が軽減されるものとなる。又、両者の接触が、平面視で光学シートの外周辺又はハウジングフレームの内壁の端部又はその近傍で生じることで、光学シートがハウジングフレームの内壁に囲まれた範囲内で回転（自転）等の位置ずれを効果的に防ぎ、両者の間に形成されるデッドエリアの増大を回避するものとなる。又、凸部が、平面視で光学シートの外周辺又はハウジングフレームの内壁の端部の間（中間部）に位置するよりも、凸部を構成する辺の数を少なくすることとなり、凸部を形成する際の加工も容易となる。
【００１７】
（７）上記（１）から（６）項において、前記凸部が、前記ハウジングフレームの内壁に設けられている面状照明装置（請求項７）。
本項に記載の面状照明装置は、凸部が、ハウジングフレームの内壁に設けられていることで、光学シート側に凸部を形成すると仮定した場合の、ハウジングフレームの内壁と光学シートの外周辺との間に形成される隙間（光学的なデッドエリア）の増大要因を、この構成により排除するものとなり、いわゆる狭額縁化（光学的なデッドエリアの狭小化）に適したものとなる。なお、狭額縁化は、本面状照明装置の発光面積の減少を回避しつつ小型化を促進するためのものである。そして、本面状照明装置を採用する表示装置の、小型化といった機能性の観点のみならず、デザイン上の観点からもハウジングフレームの狭額縁化が要請されるものである。
【００１８】
（８）上記（１）から（７）項において、前記光学シートは、その外周辺が、中央部に開口を有するカバーケースで覆われている面状照明装置（請求項８）。
本項に記載の面状照明装置は、カバーケースを用いる場合においても、各構成部材の厚み等の寸法を高精度に管理することなく、上記（１）から（７）項に記載の作用を奏するものとなる。
【発明の効果】
【００１９】
本発明はこのように構成したので、面状照明装置において、コストアップを来たすことなく、又、輝度の均一性を損なうことなく、衝突音を軽減することが可能となる。
【図面の簡単な説明】
【００２０】
【図１】本発明の実施の形態に係る面状照明装置を示すものであり、（ａ）は（ｂ）のＡ−Ａ断面図、（ｂ）は平面図、（ｃ）は（ｂ）のＢ−Ｂ断面図である。
【図２】（ａ）は、図１に示される面状照明装置の、光学シート及びハウジングフレームを抜粋して示した平面図であり、（ｂ）は比較例として、従来の面状照明装置の、光学シート及びハウジングフレームを抜粋して示した平面図である。
【図３】（ａ）〜（ｃ）は、図１に示される面状照明装置の、光学シート及びハウジングフレームの別例を抜粋して示した平面図である。
【図４】（ａ）〜（ｃ）は、図１に示される面状照明装置の、光学シート及びハウジングフレームの別例を抜粋して示した平面図である。
【図５】（ａ）、（ｂ）は、図１に示される面状照明装置の、光学シート及びハウジングフレームの別例を抜粋して示した平面図である。
【図６】従来の面状照明装置の一例を示す分解斜視図である。
【発明を実施するための形態】
【００２１】
以下、本発明の実施の形態を図面に基づいて説明する。なお、以下の説明における「上」、「下」の方向は、本説明における面状照明装置を平置きした状態での、上下方向を意味するものである。
【００２２】
図１には、本発明の実施の形態に係る面状照明装置１０を示している。この面状照明装置１０は、対向する一対の主面１２ａ、１２ｂ（図１（ｃ）参照）のうちの一方１２ａを光の出射面とする、平面視で矩形状の導光板１２と、導光板１２の一側面（入光面）１２ｃに対向して配置される、白色ＬＥＤ等の光源１４と、導光板１２の出射面１２ａに積層配置される複数の光学シート１８と、導光板１２の出射面１２ａとは反対側の主面１２ｂに配置される反射シート２０と、これらの構成要素を収納するための、合成樹脂からなるハウジングフレーム１６とを含むものである。更に、これらの構成要素は、上下一対のカバーケースである、下側金属ケース２２及び上側金属ケース２４に覆われている。そして、上側金属ケース２４の中央部に設けられた開口２４ａによって、本面状照明装置１０の照光領域が規定されている。
【００２３】
本実施の形態においては、導光板１２は、入光面１２ｃからの距離に応じてその厚みが減少するように構成されている。そして、ハウジングフレーム１６の底部１６ａの厚みも、導光板１２の厚みと相補的な関係となるように、導光板１２の入光面１２ｃが位置する部分が最も薄く、そこからの距離に応じて厚みが増加するように構成されている。又、ハウジングフレーム１６の底部１６ａの、最も厚みの薄い部分を除く外周辺（三辺）に、壁部１６ｂが設けられている。そして、壁部１６ｂが設けられていない一辺に、光源１４及び光源１４の回路基板２６が配置される空間が確保される。
【００２４】
光学シート１８は、導光板１２の出射面１２ａから数えた積層段が一段目の第１シート１８１と、第１シート１８１上に積層される第２シート１８２と、第２シート１８２上に積層される第３シート１８３とを含むものである。一例として、第１シート１８１は拡散シート、第２シート１８２は下プリズムシート、第３シート１８３は上プリズムシートである。そして、本実施の形態では、上記各光学シート１８１、１８２、１８３は、平面視で同一形状をなしている。
又、図１の例では、光学シート１８の外周辺には、ハウジングフレーム１６の壁部１６ｂの内壁１６ｂ１、１６ｂ２に対して、後述のごとく、光学シート１８の各外周辺の延長方向への相対変位を規制しない態様で接触する、凸部１８ａが設けられている。そして、凸部１８ａが、光学シート１８の各外周辺の延長方向への相対変位を規制しないものであることから、光学シート１８には、凸部１８ａとは別に、ハウジングフレーム１６に対する位置決めを行なうための、位置決め用突起１８ｂが設けられている。又、ハウジングフレーム１６の壁部１６ｂの、位置決め用突起１８ｂと対向する位置には、位置決め用突起１８ｂが係合するための、位置決め溝１６ｄが設けられている。
【００２５】
本実施の形態では、光学シート１８は、図２（ａ）にも示されるように、ハウジングフレーム１６の対向する内壁１６ｂ１に対して、平面視で傾斜する傾斜辺１８ｃと、内壁１６ｂ２に対して平行な直線状の辺１８ｄとを構成辺に含んでいる。この構成によって、光学シート１８の、外周辺の端部の四隅が鋭角となり、凸部１８ａとして機能するものである。
又、光学シート１８の外周辺の端部である四隅を凸部１８ａとして構成することにより、ハウジングフレーム１６の壁部１６ｂの内壁１６ｂ１、１６ｂ２の交差部が、凸部１８ａと接触する凹部１６ｃとして機能するものである。そして、光学シート１８の外周辺の四隅に位置する凸部１８ａが、ハウジングフレーム１６の対向する内壁１６ｂ１に対して点状接触するものとなる。又、光学シート１８の外周辺の端部である四隅に位置する凸部１８ａは、平面視で、対向する一対の外周辺に設けられたものともなっている。
【００２６】
さて、上記構成をなす、本発明の実施の形態によれば、次のような作用効果を得ることが可能である。
まず、本発明の実施の形態に係る面状照明装置１０は、外部から振動が加わることによって、光学シート１８とハウジングフレーム１６とが衝突する事態となったときに、光学シート１８の外周辺に設けられた凸部１８ａが、ハウジングフレーム１６に対して接触するものである。ここで、ハウジングフレーム１６の内壁１６ｂ１は、光学シート１８の周縁部を囲うことによって、平面視で矩形状の光学シート１８の外周辺（１８ｃ）に対し、光学シート１８の各辺の全長に渡って対面する位置関係となっている。そして、光学シート１８とハウジングフレーム１６とが衝突する際には、光学シート１８の外周辺（１８ｃ）に設けられた凸部１８ａが、他方側に対して衝突することから、実際に両者が衝突する辺の長さは、凸部１８ａに限定された長さとなる。その結果として、図２（ｂ）に比較例として示された従来例のごとく、光学シート１１２の各辺の延長方向にわたって広範囲（符号１１２ｈで示す）に衝突する場合よりも、衝突音の発生し得る範囲が減少して、衝突音が軽減されるものとなる。
【００２７】
又、光学シート１８の外周辺に設けられた凸部１８ａが、ハウジングフレーム１６の対面する内壁１６ｂ１に対して平面視で傾斜する傾斜辺１８ｃを有することで、図２（ａ）に示されるように、光学シート１８の対面する傾斜辺１８ｃと、ハウジングフレーム１６の対面する内壁１６ｂ１とが、平面視で、意図的に非平行に対面するものとなる。このように、光学シートの外周辺１８ｃと、ハウジングフレームの内壁１６ｂ１とが、平面視で非平行に対面することで、両者の間に形成される隙間（図２（ａ）に楕円Ａで囲んだ範囲を参照）が、光学シート１８の外周辺（傾斜辺１８ｃ）の延長方向に増減する態様で形成されることとなる。
【００２８】
この構成により、光学シート１８の各辺の全長に渡って形成される隙間を一定にする形状の凸部を形成することを想定した場合に、加工精度上の要請から、凸部１８ａの寸法（突出量）をより十分に取る必要が生じることによる、両者の間に形成される隙間（光学的なデッドエリア）の増大を、回避することが可能となる。又、両者の間に形成される隙間の増大は、光学シート１８がハウジングフレーム１６の内壁１６ｂ１、１６ｂ２に囲まれた範囲内で回転（自転）等の位置ずれを誘発し、デッドエリアの拡大を招く原因となることから、これを防ぐ上でも、本構成は有用なものとなる。又、光学シート１８に凸部１８ａを形成するにあたり、高い加工精度が要求されることもない。
【００２９】
又、本発明の実施の形態に係る面状照明装置１０は、光学シート１８の外周辺に設けられた凸部１８ａが、ハウジングフレーム１６の内壁１６ｂ１に対して点状接触するように構成されていることで、凸部１８ａがハウジングフレーム１６の内壁１６ｂ１に対して衝突する際の、両者の接触状態が点状接触となる。よって、図２（ｂ）に比較例として示された従来例のごとく、光学シート１１２の各辺の延長方向にわたって広範囲（符号１１２ｈで示す）に衝突する場合に対し、衝突音が最小限に抑えられるものとなる。
【００３０】
又、光学シート１８の外周辺に設けられた凸部１８ａが、平面視で対向する一対の外周辺である傾斜辺１８ｃに設けられていることで、平面視で矩形状の光学シート１８の、凸部１８ａに係る一対の外周辺と交差する平面方向（図１、図２の左右方向）の振動に対して、効果的に衝突音の低減を図ることが可能となる。
【００３１】
又、光学シート１８の外周辺に設けられた凸部１８ａと対向するハウジングフレーム１６の内壁１６ｂ１、１６ｂ２の交差部に、凸部１８ａが接触する凹部が設けられていることで、実際に両者が衝突する辺の長さは、これら凸部及び凹部の接触部分に限定された長さとなる。よって、図２（ｂ）に比較例として示された従来例のごとく、光学シート１１２の各辺の延長方向にわたって広範囲（符号１１２ｈで示す）に衝突する場合よりも、衝突音の発生し得る範囲が減少して、衝突音が軽減されるものとなる。
【００３２】
しかも、図１、図２の例では、光学シート１８の外周辺に設けられた凸部１８ａが、平面視で光学シート１６の外周辺の端部である四隅に設けられていることで、光学シート１８とハウジングフレーム１６とが衝突する際には、両者の接触は、平面視で光学シート１８の外周辺の端部又はその近傍で生じることとなる。その結果として、光学シート１８の各辺の延長方向にわたって広範囲に衝突する場合よりも、衝突音の発生し得る範囲が減少して、衝突音が軽減されるものとなる。又、両者の接触が、平面視で光学シート１８の外周辺又はハウジングフレーム１６の内壁１６ｂ１、１６ｂ２の端部又はその近傍で生じることで、光学シート１８がハウジングフレーム１６の内壁１６ｂ１、１６ｂ２に囲まれた範囲内で回転（自転）等の位置ずれを効果的に防ぎ、両者の間に形成されるデッドエリアの増大を回避するものとなる。又、凸部１８ａが、平面視で光学シート１８の外周辺の端部の間（中間部）に位置する場合（一例として、図４（ｃ）参照）よりも、凸部１８ａを構成する辺の数を少なくすることとなり、光学シート１８に凸部１８ａを形成する際の加工も容易となる。
【００３３】
そして、本発明の実施の形態に係る面状照明装置１０は、図１に示されるように、下側金属ケース２２及び上側金属ケース２４を用い、それによって光学シート１８を押さえ付ける構成を採用する場合においても、各構成部材の厚み等の寸法を高精度に管理することなく、上記作用効果を奏するものとなる。
【００３４】
続いて、図１、図２（ａ）に示されるハウジングフレーム１６及び光学シート１８の応用例を、図３から図５を参照しながら説明する。以下の説明において、図１、図２（ａ）と同一部分若しくは相当する部分については、同一符号を付して、詳しい説明を省略する。
【００３５】
まず、図３（ａ）に示される例では、光学シート１８の外周辺のうち、外周辺１８ｄ’についても、傾斜辺１８ｃと同様に傾斜辺として構成されているものである。よって、光学シート１８の対面する傾斜辺１８ｄ’と、ハウジングフレーム１６の対面する内壁１６ｂ２とが、平面視で、意図的に非平行に対面するものとなる。従って、光学シートの外周辺１８ｄ’と、ハウジングフレームの内壁１６ｂ２とが、平面視で非平行に対面することで、両者の間に形成される隙間が、光学シート１８の外周辺（傾斜辺１８ｄ’）の延長方向に増減する態様で形成されることとなる。この構成により得られる作用効果は、ハウジングフレーム１６の対面する内壁１６ｂ１に対して平面視で傾斜する傾斜辺１８ｃを有することによるものと同様であり、詳しい説明は省略するが、本例では、図３（ａ）の上下方向の振動に対しても、更に同様の作用効果を奏するものとなる。
【００３６】
続いて、図３（ｂ）に示される例では、光学シート１８の凸部１８ａを、点状接触する形態ではなく、ハウジングフレーム１６の対面する内壁１６ｂ１に対して、ある程度の幅ｈを以って接触する形状に構成したものである。ここでの接触幅ｈについては、点状接触させた場合に得られる衝突音の軽減効果を最良として、許容されるだけの効果が得られる範囲内に設定するものである。その他、図１、図２（ｂ）の例と同様の作用効果については、詳しい説明を省略する。
【００３７】
続いて、図３（ｃ）に示される例では、図１、図２（ｂ）の例における光学シート１８の傾斜辺１８ｃが、（平面視で傾斜しない）直線状の辺１８ｃ’となっており、これと対面するハウジングフレーム１６の内壁１６ｂ１’が平面視で傾斜する傾斜辺となっているものである。その結果として、ハウジングフレーム１６の壁部１６ｂの、位置決め用突起１８ｂと対向する位置に設けられた、位置決め溝１６ｄの開放側の角部が、図１、図２（ｂ）の例における凸部１８ａに換わる、凸部１６ｅとして機能するものとなる。又、光学シート１８に設けられた、ハウジングフレーム１６に対する位置決めを行なうための、位置決め用突起１８ｂの根元部が、凸部１６ｅと接触する凹部として機能することとなる。この場合、光学シート１８の角部１８ａ’は、上述の凸部として機能することを、企図しないものとなる。
【００３８】
本応用例は、光学シート１８の各外周辺の延長方向への相対変位を規制しない態様で接触する、凸部１６ｅが光学シート１８の外周辺側ではなく、ハウジングフレーム１６の内壁１６ｂ１’側に設けられたものである。そして、この場合においても、図１、図２（ｂ）の例と同様に、図２（ｂ）に比較例として示された従来例のごとく、光学シート１１２の各辺の延長方向にわたって広範囲（符号１１２ｈで示す）に衝突する場合よりも、衝突音の発生し得る範囲が減少して、衝突音が軽減されるものとなる。
すなわち、本発明は、光学シート１８の外周辺及びハウジングフレーム１６の内壁の少なくとも一方側に、他方側に対して、光学シートの各外周辺の延長方向への相対変位を規制しない態様で接触する、凸部が形成されていることで、衝突音の軽減効果が得られるものである。その他、図１、図２（ｂ）の例と同様の作用効果については、詳しい説明を省略する。
【００３９】
続いて、図４（ａ）に示される例では、図１、図２（ｂ）の例における光学シート１８の傾斜辺１８ｃの傾斜方向と逆方向に傾斜した傾斜辺１８ｃ”となっている。その結果として、図３（ｃ）の例と同様に、ハウジングフレーム１６の壁部１６ｂの、位置決め用突起１８ｂと対向する位置に設けられた、位置決め溝１６ｄの開放側の角部が、図１、図２（ｂ）の例における凸部１８ａに換わる、凸部１６ｅ’として機能するものとなる。又、光学シート１８に設けられた、ハウジングフレーム１６に対する位置決めを行なうための、位置決め用突起１８ｂの根元部が、凸部１６ｅ’と接触する凹部として機能することとなる。この場合、光学シート１８の四隅は、図１、図２（ｂ）の例における凸部１８ａと異なり、鈍角部となる。又、この鈍角部１８ａ”は、図１、図２（ｂ）の例における凸部として機能することを企図するものではない。
そして、この場合においても、図１、図２（ｂ）の例と同様に、図２（ｂ）に比較例として示された従来例のごとく、光学シート１１２の各辺の延長方向にわたって広範囲（符号１１２ｈで示す）に衝突する場合よりも、衝突音の発生し得る範囲が減少して、衝突音が軽減されるものとなる。その他、図１、図２（ｂ）の例と同様の作用効果については、詳しい説明を省略する。
【００４０】
続いて、図４（ｂ）に示される例では、図１、図２（ｂ）の例における光学シート１８の傾斜辺１８ｃが、光学シート１８の内側へＶ字状に窪んだ傾斜辺１８ｃ”’となっている。
その結果として、図１、図２（ｂ）の例と同様に、光学シート１８の外周辺の端部の四隅が鋭角となり、凸部１８ａとして機能するものである。その他、図１、図２（ｂ）の例と同様の作用効果については、詳しい説明を省略する。
一方、図４（ｃ）に示される例では、図４（ｂ）に示される、光学シート１８の内側へＶ字状に窪んだ傾斜辺１８ｃ”’が、光学シート１８の外側へとＶ字状に突出する傾斜辺１８ｃ””となっている。この場合には、光学シート１８の傾斜辺１８ｃ””の頂部が、図１、図２（ｂ）の例における凸部１８ａに換わる、凸部１８ａ”’として機能するものとなる。この場合、図４（ａ）の例と同様に、光学シート１８の四隅は鈍角部１８ａ”となり、凸部として機能することを企図しないものとなる。
【００４１】
続いて、図５（ａ）に示される例では、図１、図２（ｂ）の例における光学シート１８の傾斜辺１８ｃが、直線状の辺１８ｃ’となっており、これと対面するハウジングフレーム１６の内壁１６ｂ１についても直線状の辺となっているものである。更に、光学シート１８の凸部１８ｅとして、図３（ｂ）の例と同様に、点状接触する形態ではなく、ハウジングフレーム１６の対面する内壁１６ｂ１に対して、ある程度の幅ｈを以って接触する形状に構成したものである。しかしながら、本例では、光学シート１８の凸部１８ｅの構成要素として、傾斜辺を有していないものである。なお、本例の幅ｈについても、図３（ｂ）の例と同様に、点状接触させた場合に得られる衝突音の軽減効果を最良として、許容されるだけの効果が得られる範囲内に設定するものである。その他、図１、図２（ｂ）の例と同様の作用効果については、詳しい説明を省略する。
【００４２】
他方、図５（ｂ）に示される例では、図５（ａ）の例と同容に、傾斜辺を構成要素に持たず、ハウジングフレーム１６の内壁１６ｂ１側に、光学シート１８の直線状の辺１８ｃ’に対してある程度の幅ｈ１、ｈ２を以って接触する凸部１６ｅ’、１６ｅ”を設けたものである。本例においても、幅ｈ１、ｈ２については、図３（ｂ）の例と同様に、点状接触させた場合に得られる衝突音の軽減効果を最良として、許容されるだけの効果が得られる範囲内に設定するものである。その他、図１、図２（ｂ）の例と同様の作用効果については、詳しい説明を省略する。
【００４３】
なお、上記各例のうち、図３（ｃ）、図４（ａ）、図５（ｂ）の例は、何れも、他方側に対して、光学シート１８の各外周辺の延長方向への相対変位を規制しない態様で接触する凸部１６ｅ、１６ｅ’、１６ｅ”が、ハウジングフレーム１６の１６ｂ１内壁にのみ設けられているものである。
このように、凸部１６ｅ、１６ｅ’、１６ｅ”が、ハウジングフレーム１６の内壁１６ｂ１にのみ設けられていることで、光学シート１８側に凸部を形成すると仮定した場合の、ハウジングフレーム１６の内壁１６ｂ１と光学シート１８の外周辺１８ｃ’、１８ｃ”との間に形成される隙間（光学的なデッドエリア）の増大要因を、この構成により排除するものとなり、いわゆる狭額縁化（光学的なデッドエリアの狭小化）に適したものとなる。
【００４４】
一方、構造の多様化の観点からは、適宜、光学シート１８の外周辺（１８ｃ、１８ｃ’、１８ｃ”、１８ｃ”’、１８ｃ””、１８ｄ、１８ｄ’）、及び、ハウジングフレーム１６の内壁１６ｂ１、１６ｂ２の双方側に、他方側に対して、光学シート１８の各外周辺の延長方向への相対変位を規制しない態様で接触する、凸部が形成されていても良い。
又、上記各例には、いずれも、光学シート１８側に、ハウジングフレーム１６に対する位置決めを行なうための、位置決め用突起１８ｂが設けられ、ハウジングフレーム１６の壁部１６ｂの、位置決め用突起１８ｂと対向する位置には、位置決め溝１６ｄが設けられているが、これらは必須のものではない。更に、図示は省略するが、光学シート１８の外周辺、及び、ハウジングフレーム１６の内壁一方又は双方に、他方側に対して、光学シート１８の各外周辺の延長方向への相対変位を規制しない態様で接触する、凸部を構成する辺は、直線状に限らず、適宜曲線状であっても良い。例えば、図４（ｂ）（ｃ）の傾斜辺１８ｃ”’、１８ｃ””は、Ｖ字状の凸部であるが、これを円弧状の凸部として構成することとしても良い。
【符号の説明】
【００４５】
１０ 面状照明装置、１２ 導光板、１２ａ：出射面、１６：ハウジングフレーム、１６ｂ：壁部、  １６ｂ１、１６ｂ２：内壁、１６ｃ：凹部、  １６ｅ、１６ｅ’、１６ｅ”：凸部、１８：光学シート、  １８ａ、１８ａ”’、１８ｅ：凸部、  １８ｃ、１８ｃ”’、１８ｃ””１８ｄ’：傾斜辺、１８ｄ：直線状の辺、１８１：第１シート、１８２：第２シート、１８３：第３シート、２２：下側金属ケース、２４：上側金属ケース、２４ａ：開口
【図１】
2014022215.tif 000003
【図２】
2014022215.tif 000004
【図３】
2014022215.tif 000005
【図４】
2014022215.tif 000006
【図５】
2014022215.tif 000007
【図６】
2014022215.tif 000008